(57)【特許請求の範囲】
【請求項１】
成形された畝Ａの上面にマルチフィルム1を被覆させるマルチフィルム敷設装置において、このマルチフィルム敷設装置は、畝Ａに被せられたマルチフィルム１を上面から押圧するフィルム押えロール２と、畝Ａから畝溝Ｂに亘って被覆されたマルチフィルム１の裾部を押圧する鎮圧輪１７と、裾部に土を掛ける培度ディスク１９とを備なえ、前記フィルム押えロール２は、左右方向に設けられたロール支持軸３と、小径ロール２２に嵌合された弾性筒２３を有する中央ロール４と、弾性筒２３の左右外側にあって内端側が弾性筒２３の内周縁に嵌合された截頭型の円錐ロール５，６とからなり、この円錐ロール５，６の内端側を弾性筒２３に嵌合させた状態でロール軸３に対して軸方向に移動調節可能に構成したことを特徴とするマルチフィルム敷設装置。
【発明の詳細な説明】
【０００１】
【産業上の利用分野】
この発明は、畝面にマルチフィルムを被覆敷設するマルチフィルム敷設装置に関する。
【０００２】
【従来の技術、および発明が解決しようとする課題】
マルチフィルムの畝面に対する敷設にあたって、マルチフィルムを押えロールで畝面に押圧させて的確な敷設を行わせるが、この畝幅が広狭に異なるとマルチフィルムの押えが局部的となり、マルチフィルムの畝面に対する密着性が悪くなる。
【０００３】
【課題を解決するための手段】
このため、この発明は、次のような技術的手段を講じた。即ち、成形された畝Ａの上面にマルチフィルム１を被覆させるマルチフィルム敷設装置において、このマルチフィルム敷設装置は、畝Ａに被せられたマルチフィルム１を上面から押圧するフィルム押えロール２と、畝Ａから畝溝Ｂに亘って被覆されたマルチフィルム１の裾部を押圧する鎮圧輪１７と、裾部に土を掛ける培度ディスク１９とを備なえ、前記フィルム押えロール２は、左右方向に設けられたロール支持軸３と、小径ロール２２に嵌合された弾性筒２３を有する中央ロール４と、弾性筒２３の左右外側にあって内端側が弾性筒２３の内周縁に嵌合された截頭型の円錐ロール５，６とからなり、この円錐ロール５，６の内端側を弾性筒２３に嵌合させた状態でロール軸３に対して軸方向に移動調節可能に構成したことを特徴とするマルチフィルム敷設装置の構成とする。
【０００４】
【発明の効果】
この発明は前記の如く構成したので、次のような技術的効果を奏する。即ち、フィルム押えロール２の幅調節時に、中央ロール４に対して左右の円錐ロール５，６を左右横方向に移動させるが、中央ロール４は小径のロール２２に対して弾性筒２３が嵌合され、さらに円錐ロール５，６の内端側も弾性筒２３に嵌合されているので、左右の円錐ロール５，６を左右方向に移動させたときに中央ロール４側と円錐ロール５，６との間に隙間や段差が生じにくく、従って境目がない状態になるので連続した押圧面が形成されることになり、常に良好な畝成形作業を行うことができるものである。
【０００５】
【実施例】
マルチフィルム１を畝Ａ面に被覆敷設するマルチフィルム敷設装置は、トラクタの後側に三点リンク機構等を介して連結し、耕耘装置で耕耘された土壌面を培土器７で畝Ａ成形しながら、この畝Ａ面に一定幅のマルチフィルム１を敷設するものである。
【０００６】
培土器７は、トラクタ車体後方に連結された横方向のツールバー８に沿って取付アーム９によって適当間隔に設けられて、畝Ａと溝Ｂとを形成する。１０は接地輪で、培土器７で形成される畝Ａ間の溝Ｂ部に接地して培土高さを一定に維持する。１１はこの接地輪１０の支持アームである。１２は前記ツールバー８を支持する連結フレームで、後部には前記培土器７上方において、マルチフィルム１をロール巻きにして支持するフィルムリール１３を支持し、このフィルムリール１３から繰出されるマルチフィルム１の中央部を上側へ浮かせるように支持して回転自在の案内ロール１４を支持し、このマルチフィルム１を上側から畝Ａ面にばね１６で押えるフィルム押えロール２を上下揺動自在の支持リンク１５によって支持し、畝Ａから溝Ｂに亘って被覆されるマルチフィルム１を押圧する鎮圧輪１７がアーム１８で支持され、このマルチフィルム１の横端部上面に溝Ｂの土壌を載せて固定する培土ディスク１９をアーム２０で支持している。
【０００７】
前記畝Ａ面にマルチフィルム１を押圧するフィルム押えロール２は、中央部を小径とし、左右両側部を大径とする鼓状に形成する。ロール軸３は、左右両端部を前記支持リンク１５に取付けるアーム２１間に回転自在に支持される。この左右方向の中央部には小径のロール２２を有し、このロール２２の外周にこのロール２２の幅よりも左右両側に広いビニール製、乃至ゴム製の弾性筒２３を嵌合させて中央ロール４を構成している。この弾性筒２３のロール２２よりも左右外側へ張出された部分を弾性筒縁２４として拡縮自在の構成である。
【０００８】
この中央ロール４に対して左右両側部に設けられる円錐形状の円錐ロール５，６は截頭側の尖側の径を前記ロール２２の内径よりも小径として、このロール２２の内側にのぞませ、外側端の径をロール２２径よりも大径としている。この円錐ロール５，６の外周面に前記弾性筒縁２４を嵌合させている。この状態で、左右の円錐ロール５，６をロール軸３に対して軸方向へ移動調節して、フィルム押えロール２の全体の軸方向幅（間隔）Ｌを調節できる構成としている。２５はこの調節ピン差込み用のピン孔で、ロール軸３と円錐ロール５，６のロールボスとに形成される。
【０００９】
このような、左右の円錐ロール５，６の間隔Ｌ調節は、左右一対の培土器７間に形成される畝Ａの幅に応じて適当なマルチフィルム１の押え面となるように行う。この円錐ロール５，６の間隔調節によって、弾性筒縁２４は円錐ロール面に摺接して拡縮し、ロール２２と円錐ロール５，６との間に間隙部を露出させない。このため、畝Ａ面のマルチフィルム１を押圧を均一化する。
【００１０】
なお、前記弾性筒２３に代えて、一定径のロール２２の外周面に截頭円錐形状の円錐ロール５，６の尖端を嵌合させて、この円錐ロール５，６を軸方向へ移動調節するように構成するもよい。図５に示す比較例について説明する。
前記フィルム押えロール２は、軸方向におけるロール幅に亘って連結するロール片２６を、多数枚ロール周面の回転方向に連接させて、鼓形の円筒状に構成し、このロール片２６の中央部の幅Ｄ１は狭くし、左右両側端部の幅Ｄ２は順次広くしていて、合成樹脂製の可撓性材から構成し、左右両側端部は、各ロール片２６毎に傘形の拡縮リンク２７でロール軸３に対して支持させて、この拡縮リンク２７の開度によって円錐ロール５，６部の回転径を調節できる構成としている。２８はその拡縮リンク２７のボスで、ロール軸３に沿って移動調節できる。２９は各ロール片２６を中央部ロール２２部に固定するピン、３０は各ロール片２６の両端部を拡縮リンク２９部に固定するピンである。
【００１１】
図６に示す比較例について説明する。マルチフィルム１の敷設端で、フィルムカッタ３１によってマルチフィルム１の切り離しを行うとき、前記培土ディスク１９によるフィルム固定の行われた後のマルチフィルム１上面に沿ってフィルムカッタ３１を押し当てて切断する。このフィルムカッタ３１は、畝Ａ面上に沿うアーチ状のカッタケース３２と、このカッタケース３２内に沿って設けられ、下方へ押出されることによってマルチフィルム１を押切ることのできるカッター３３とからなり、前記フレーム１２に取付けられるカッタアーム３４に対して電動シリンダ３５によってカッター３３を上下動することができる。３６はカッタケース３２上に一体のアームで、ばね３７によって下方へ押圧される。カッター３３には左右両側部にガイドロッド３８を有し、該アーム３６のロッド穴に上下動自在に挿通し、このガイドロッド３８に対してばね３７でアーム３６を下方へ弾発させている。
【００１２】
電動シリンダ３５の伸長によって、フィルムカッタ３１が押下げられて、カッタケース３２の下端縁が畝Ａ面に被覆されたマルチフィルム１の上面に当接すると、ばね３７に抗してカッタケース３２の下動は止るため、内部のカッター３３だけが下動して、カッタケース３２から下側の畝Ａ面に食込み、マルチフィルム１が切断される。フィルムカッタ３１が引き上げられると、畝Ａ面との抵抗がなくなり、カッター３３に対してカッタケース３２がばね３７で下動されて、カッター３３を被覆して安全を図る。
【図面の簡単な説明】
【図１】フィルム押えロールの正面図。
【図２】マルチフィルム敷設装置部の側面図。
【図３】その平面図。
【図４】作用を示す背面図。
【図５】比較例のフィルム押えロールの正面図と、その側面図。
【図６】フィルムカッタ部の正面図と、その側面図。
【符号の説明】
１    マルチフィルム
２    フィルム押えロール
３    ロール軸
４    中央ロール
５    円錐ロール
６    円錐ロール
Ａ    畝
Ｌ    軸方向間隔
【図１】
0003635740.tif 000002
【図２】
0003635740.tif 000003
【図３】
0003635740.tif 000004
【図４】
0003635740.tif 000005
【図５】
0003635740.tif 000006
【図６】
0003635740.tif 000007